Podtech/llm-jp-corpus-v4-ja_patent huggingface dataset:
【手続補正書】
【提出日】平成15年10月27日(2003.10.27)
【手続補正１】
【補正対象書類名】明細書
【補正対象項目名】特許請求の範囲
【補正方法】変更
【補正の内容】
【特許請求の範囲】
【請求項１】
複数の無線基地局との間で無線通信を行う無線電話装置において、
少なくとも２つの無線チャネルを同時に設定することができる無線送受信部と；
１つの無線チャネルを用いて無線基地局に対して無線リンクを確立して発信を行うと共に、もう１つの無線チャネルを用いて現在接続中以外の他基地局の電波を受信し、少なくとも１つの基地局を検索する検索手段と；
無線レベル劣化検出手段と；
発信中の無線チャネルにおいて他基地局へのハンドオーバが可能になる状態に遷移する前に、上記無線レベル劣化検出手段によって無線レベル劣化を検出した場合、無線リンクを切断した後、基地局の検索結果に基づいて、接続可能な基地局を選択する基地局選択手段と；
上記選択した基地局に対して無線リンクを確立し、発信を行う発信手段と；
を有することを特徴とする無線電話装置。
【請求項２】
請求項１において、
上記基地局選択手段は、基地局を選択するときに、上記検索した複数の基地局のうちで、最も受信電界強度の大きい基地局を選択する手段であることを特徴とする無線電話装置。
【請求項３】
請求項１において、
上記検索手段は、基地局の検索を行うときに、１つの基地局について、受信電界強度を複数回測定する測定手段を具備し
上記基地局選択手段は、基地局を選択するときに、検索した基地局の中で受信電界強度が時系列的に増加している基地局があれば、この基地局を優先的に選択する手段であることを特徴とする無線電話装置。
【請求項４】
複数の無線基地局と無線通信を行う無線電話装置において、
１つの無線チャネルを設定可能な無線送受信部と；
１つの無線チャネルを設定可能な無線受信部と；
上記無線送受信部を用いて無線基地局に対して無線リンクを確立して発信を行うと共に、上記無線受信部を用いて現在接続中以外の他基地局の電波を受信し、基地局の検索する探索手段と；
無線レベル劣化検出手段と；
発信中の無線チャネルにおいて他基地局へのハンドオーバが可能になる状態に遷移する前に、上記無線レベル劣化検出手段によって無線レベル劣化を検出した場合、無線リンクを切断した後、基地局の検索結果に基づいて、接続可能な基地局を選択する基地局選択手段と；
上記選択した基地局に対して無線リンクを確立し、発信を行う発信手段と；
を有することを特徴とする無線電話装置。
【請求項５】
請求項４において、
上記基地局選択手段は、基地局を選択するときに、検索した複数の基地局の中で、最も受信電界強度の大きい基地局を選択する手段であることを特徴とする無線電話装置。
【請求項６】
請求項４において、
上記検索手段は、基地局の検索を行うときに、１つの基地局について、受信電界強度を複数回測定する測定手段を具備し
上記基地局選択手段は、基地局を選択するときに、検索した基地局の中で受信電界強度が時系列的に増加している基地局があれば、この基地局を優先的に選択する手段であることを特徴とする無線電話装置。
【請求項７】
無線通信方法において、
第１の基地局に対する発信処理中に、他の基地局の電波を受信し、基地局を検索する検索工程と；
上記発信処理中の無線チャネルの劣化に応じて、上記検索した基地局に対する発信処理を開始する工程と；
を有することを特徴とする無線通信方法。
【手続補正２】
【補正対象書類名】明細書
【補正対象項目名】０００１
【補正方法】変更
【補正の内容】
【０００１】
【発明の属する技術分野】
本発明は、複数の無線基地局との間で無線通信を行う無線電話装置および無線通信方法に関する。


【手続補正３】
【補正対象書類名】明細書
【補正対象項目名】００１５
【補正方法】変更
【補正の内容】
【００１５】
本発明は、発信してから通信中になるまでの間、ハンドオーバを行うことができない無線方式において、移動中に発信した場合の接続の確率を高くすることを目的とするものである。


【手続補正４】
【補正対象書類名】明細書
【補正対象項目名】００１６
【補正方法】変更
【補正の内容】
【００１６】
【課題を解決するための手段】
本発明は、少なくとも２つの無線チャネルを同時に設定することができる無線送受信部と、１つの無線チャネルを用いて任意の無線基地局に対して無線リンクを確立して発信を行うと共に、もう１つの無線チャネルを用いて現在接続中以外の他基地局の電波を受信し、少なくとも１つの基地局を検索する検索手段と、発信中の無線チャネルにおいて他基地局へのハンドオーバが可能になる状態に遷移する前に、無線レベル劣化検出手段によって無線レベル劣化を検出した場合、無線リンクを切断した後、基地局の検索結果に基づいて、接続可能な基地局を選択する基地局選択手段と、上記選択した基地局に対して無線リンクを確立し、発信を行う発信手段とを有する無線電話装置である。
また、複数の無線基地局と無線通信を行う無線電話装置において、１つの無線チャネルを設定可能な無線送受信部と、１つの無線チャネルを設定可能な無線受信部と、上記無線送受信部を用いて任意の無線基地局に対して無線リンクを確立して発信を行うと共に、上記無線受信部を用いて現在接続中以外の他基地局の電波を受信し、基地局の検索する探索手段と、無線レベル劣化検出手段と、発信中の無線チャネルにおいて他基地局へのハンドオーバが可能になる状態に遷移する前に、上記無線レベル劣化検出手段によって無線レベル劣化を検出した場合、無線リンクを切断した後、基地局の検索結果に基づいて、接続可能な基地局を選択する基地局選択手段と、上記選択した基地局に対して無線リンクを確立し、発信を行う発信手段とを有することを特徴とする無線電話装置である。
また、無線通信方法において、第１の基地局に対する発信処理中に、他の基地局の電波を受信し、基地局を検索する検索工程と、上記発信処理中の無線チャネルの劣化に応じて、上記検索した基地局に対する発信処理を開始する工程とを有することを特徴とする無線通信方法である。
【手続補正５】
【補正対象書類名】明細書
【補正対象項目名】００４４
【補正方法】変更
【補正の内容】
【００４４】
【発明の効果】
本発明によれば、移動中の発信時における接続の確率を向上させることができ、したがって、接続失敗の度に移動機の使用者が再発信の操作を行わなければならないという煩わしさを避けることができるという効果を奏する。
【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
複数のオブジェクトの画像データを入力する入力手段と、
前記入力手段によって入力された画像データをオブジェクト単位に符号化する符号化手段と、
符号量割り当てに対する優先順位を前記各オブジェクトに対して設定し、その優先順位に応じて前記符号化手段での各オブジェクトに対する符号化条件を制御する制御手段
とを有し、
前記制御手段は、前記複数のオブジェクトの画像データを符号化した際の総符号量が所定符号量を超えないように、前記符号化手段の符号化条件を制御することを特徴とする画像処理装置。
【請求項２】
前記制御手段は、前記オブジェクトに設定された優先順位に従い、最低優先順位のオブジェクトの符号量を低減する請求項１に記載の画像処理装置。
【請求項３】
前記制御手段は、前記オブジェクトに設定された優先順位に従い、最低優先順位のオブジェクトの符号量を低減し、所定のタイミングで各オブジェクトの優先順位を変更する請求項１に記載の画像処理装置。
【請求項４】
前記所定のタイミングは、符号量の低減回数及び低減量の少なくとも一方に応じて決定される請求項３に記載の画像処理装置。
【請求項５】
前記制御手段は、当該オブジェクトに設定された優先順位に従い、最低優先順位のオブジェクトの符号量を低減し、最低優先順位のオブジェクトの符号量が所定下限値を下回ると、他のオブジェクトを最低優先順位に設定する請求項１に記載の画像処理装置。
【請求項６】
前記符号化手段は、前記オブジェクトの画像データを少なくとも画素データと形状データとに分解して夫々符号化し、前記制御手段は、各オブジェクトの形状データの大きさから各オブジェクトの優先順位を決定する請求項１乃至５の何れか１項に記載の画像処理装置。
【請求項７】
前記符号化手段は、MPEG-4符号化方式に準拠した符号化を実行し、前記制御手段は、前記各オブジェクトのバウンディングボックスの大きさから各オブジェクトの優先順位を決定する請求項１乃至５の何れか１項に記載の画像処理装置。
【請求項８】
前記制御手段は、シーンの構成上、表示されている領域の大きさに応じて、各オブジェクトの優先順位を決定する請求項１乃至５の何れか１項に記載の画像処理装置。
【請求項９】
複数のオブジェクトの画像データを入力する入力ステップと、
前記入力された画像データをオブジェクト単位に符号化する符号化ステップと、
符号量割り当てに対する優先順位を前記各オブジェクトに対して設定し、その優先順位に応じて前記符号化ステップでの各オブジェクトに対する符号化条件を制御する制御ステップ
とを有し、
前記制御ステップでは、前記複数のオブジェクトの画像データを符号化した際の総符号量が所定符号量を超えないように、前記符号化手段の符号化条件を制御することを特徴とする画像処理方法。
【請求項１０】
請求項９に記載の画像処理方法を実行するプログラムソフトウエアを記憶することを特徴とする記憶媒体。
【手続補正２】
【補正対象書類名】明細書
【補正対象項目名】００２３
【補正方法】変更
【補正の内容】
【００２３】
【課題を解決するための手段】
本発明に係る画像処理装置は、複数のオブジェクトの画像データを入力する入力手段と、前記入力手段によって入力された画像データをオブジェクト単位に符号化する符号化手段と、符号量割り当てに対する優先順位を前記各オブジェクトに対して設定し、その優先順位に応じて前記符号化手段での各オブジェクトに対する符号化条件を制御する制御手段とを有し、前記制御手段は、前記複数のオブジェクトの画像データを符号化した際の総符号量が所定符号量を超えないように、前記符号化手段の符号化条件を制御することを特徴とする。


【手続補正３】
【補正対象書類名】明細書
【補正対象項目名】００２４
【補正方法】変更
【補正の内容】
【００２４】
本発明に係る画像処理方法は、複数のオブジェクトの画像データを入力する入力ステップと、前記入力された画像データをオブジェクト単位に符号化する符号化ステップと、符号量割り当てに対する優先順位を前記各オブジェクトに対して設定し、その優先順位に応じて前記符号化ステップでの各オブジェクトに対する符号化条件を制御する制御ステップとを有し、前記制御ステップでは、前記複数のオブジェクトの画像データを符号化した際の総符号量が所定符号量を超えないように、前記符号化手段の符号化条件を制御することを特徴とする。
【手続補正書】
【提出日】平成16年1月16日(2004.1.16)
【手続補正１】
【補正対象書類名】明細書
【補正対象項目名】特許請求の範囲
【補正方法】変更
【補正の内容】
【特許請求の範囲】
【請求項１】
表示領域及び表示領域の周辺に位置する周辺領域を有する透明な基板と、
前記基板に所定間隙を隔てて対向配置された透明な板状部材とを備え、
前記周辺領域において、前記板状部材と前記基板とが接着剤により接着されてなることを特徴とする電気光学装置。
【請求項２】
前記板状部材は、マイクロレンズアレイ板を含むことを特徴とする請求項１に記載の電気光学装置の製造方法。
【請求項３】
前記板状部材は、防塵ガラス板を含むことを特徴とする請求項１又は２に記載の電気光学装置の製造方法。
【請求項４】
前記板状部材は、放熱ガラス板を含むことを特徴とする請求項１から３のいずれか一項に記載の電気光学装置の製造方法。
【請求項５】
前記板状部材は、デフォーカス用ガラス板を含むことを特徴とする請求項１から４のいずれか一項に記載の電気光学装置の製造方法。
【請求項６】
前記接着剤は前記画像表示領域の大半に存在しないことを特徴とする電気光学装置。
【請求項７】
前記接着剤は、前記周辺領域における３個所以上に離散的に配置されていることを特徴とする請求項１から６のいずれか一項に記載の電気光学装置。
【請求項８】
前記接着剤は、平面的に見て前記画像表示領域の周囲を包囲していることを特徴とする請求項１から６のいずれか一項に記載の電気光学装置。
【請求項９】
前記接着剤は、相互に連通する多数の微細孔が設けられた空気を通す材質からなることを特徴とする請求項８に記載の電気光学装置。
【請求項１０】
前記接着剤は、空気を通さない材質からなり、前記接着剤により包囲された空間に対して空気を通すための開口が設けられていることを特徴とする請求項８に記載の電気光学装置。
【請求項１１】
前記接着剤は、空気を通さない材質からなり、前記接着剤により包囲された空間には所定種類の気体又は液体が封入されていることを特徴とする請求項８に記載の電気光学装置。
【請求項１２】
請求項１から１１のいずれか一項に記載の電気光学装置を製造する電気光学装置の製造方法であって、
前記基板上の前記周辺領域に硬化前の接着剤を配置する工程と、
前記硬化前の接着剤が配置された基板上に前記板状部材を配置する工程と、
前記硬化前の接着剤を硬化させる工程と
を含むことを特徴とする電気光学装置の製造方法。
【請求項１３】
前記硬化前の接着剤を配置する工程は、前記基板と前記板状部材の間隙内に周辺領域から前記接着材を毛細管現象を利用して注入することを特徴とする請求項１２記載の電気光学装置の製造方法。
【請求項１４】
請求項１から１１のいずれか一項に記載の電気光学装置からなるライトバルブと、
該ライトバルブに投射光を入射する光源と、
該ライトバルブから出射した前記投射光を投射する光学系と
を備えたことを特徴とする投射型表示装置。
【手続補正２】
【補正対象書類名】明細書
【補正対象項目名】００３６
【補正方法】変更
【補正の内容】
【００３６】
本発明の電気光学装置の製造方法によれば先ず、例えばカバーガラス、対向基板等の基板上の周辺領域に、硬化前の接着剤が配置される。この接着剤としては、シアンアクリレートの如く硬化時に汚染物質を発生するものを除けば、光学特性（屈折率等）の如何を問わずに公知の各種接着剤を使用可能である。例えばエポキシ系、アクリル系の接着剤を使用可能である。このような接着剤の配置方法としては、ディスペンサ、スクリーン印刷等の公知技術を利用できる。特に本発明では、接着剤中に気泡やボイドが入っても構わないため、なるべく低コストで基板上に接着剤を配置すればよい。次に、硬化前の接着剤が配置された基板上に、マイクロレンズアレイ板、防塵ガラス板、放熱ガラス板、デフォーカス用ガラス板等の各種機能を有する透明な板状部材が配置される。次に、これら板状部材と基板との所定間隙内に配置されている接着剤を硬化させる。例えば、光硬化性の接着剤であれば、基板及び板状部材のうち少なくとも一方を介して紫外線等の光を照射すればよく、熱硬化性接着剤であれば、熱線照射等により加熱すればよい。以上の結果、上述した本発明の電気光学装置を比較的容易に且つ安価に製造できる。
上記硬化前の接着剤を配置する工程は、上記基板と上記板状部材の間隙内に周辺領域から上記接着材を毛細管現象を利用して注入することを特徴とする。
かかる構成によれば、ディスペンサ、スクリーン印刷などの公知技術を利用しないで、低コストで接着材を配置できる。
【手続補正書】
【提出日】平成16年1月27日(2004.1.27)
【手続補正１】
【補正対象書類名】明細書
【補正対象項目名】００７７
【補正方法】変更
【補正の内容】
【００７７】
次に、３次元画像処理部１５３は、投影情報に含まれる各オブジェクトの各ポリゴンの各頂点の座標値に対応する画像記憶部１５４のフレームメモリ内のアドレス、すなわちフレームメモリ内の各オブジェクトの各ポリゴンの位置を求める。そして、キャラクタ記憶部１５２から読み出したテクスチャを各ポリゴンに描画する。これにより、左図柄Ａ（樽[７]）、右図柄Ｂ（樽[７]）、および背景画像上に、オブジェクトの画像すなわち中図柄Ｃの図柄列（樽[１]〜樽[Ｎ]）およびキャラクタ画（マウス）Ｍを重ねた表示画像がフレームメモリ内に生成される。
ステップＴ７（表示）
３次元画像処理部１５３は、フレームメモリ内に生成された表示画像をビデオ出力部１６９を介して画像表示装置４に出力する。画像表示装置４は、割り込み処理ごとに３次元画像処理部１５３から送られてくる縦横比が３：４の表示画像を、表示画面４ａに合わせて順次表示する。


【手続補正２】
【補正対象書類名】図面
【補正対象項目名】図６
【補正方法】変更
【補正の内容】
【図６】
2002336462.tif 000001
【手続補正書】
【提出日】平成15年12月24日(2003.12.24)
【手続補正１】
【補正対象書類名】明細書
【補正対象項目名】００２１
【補正方法】変更
【補正の内容】
【００２１】
一方、前記第１および第２の各低電気伝導性部材における「低電気伝導性」とは、電気不良導体である合成樹脂等と、高電気伝導性(電気良導体)を有する鉄等との比較によって決定される概念であって、例えばカーボンチップやカーボンファイバー等のカーボン材を混入した合成樹脂成形部品であって、実施例のパチンコ遊技機Ｐでは前記中枠Ｂや前記保持枠Ｇがこれに対応する。すなわち、一般的な「鉄」の導電率は１.０３ｅ７Ｓ/ｍであり、一般的な「カーボン」の導電率は３.０ｅ４Ｓ/ｍであるから、鉄の導電率と比較した場合、カーボンの導電率はかなり低くなっている。
【誤訳訂正書】
【提出日】平成15年12月16日(2003.12.16)
【誤訳訂正１】
【訂正対象書類名】明細書
【訂正対象項目名】請求項１１
【訂正方法】変更
【訂正の内容】
【請求項１１】
各クラブ間の重心の変化のレート（ＲＡＴＥ）が一定である、請求項９に記載のゴルフクラブヘッドのセット。
【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
樹脂製のガラス枠を備えているパチンコ機において、
そのガラス枠全体の剛性を補強する金属製の補強板と、
ガラスを案内して保持するレールとを設け、
前記補強板を折り曲げてレール補強部を形成し、当該レール補強部を前記レールの外周側から当てて前記レールを補強することを特徴とするパチンコ機。
【手続補正２】
【補正対象書類名】明細書
【補正対象項目名】０００４
【補正方法】変更
【補正の内容】
【０００４】
【課題を解決するための手段】
本発明は、樹脂製のガラス枠を備えているパチンコ機において、そのガラス枠全体の剛性を補強する金属製の補強板と、ガラスを案内して保持するレールとを設け、前記補強板を折り曲げてレール補強部を形成し、当該レール補強部を前記レールの外周側から当てて前記レールを補強することを特徴とする。
本発明によれば、樹脂製のガラス枠に金属製の補強板を設けたことによって、所定の剛性を確保することができる。また、その補強板を折り曲げて形成されたレール補強部をレールの外周側から当てることでレールが補強されるので、そのレールの剛性も確保することができるとともに、ガラスを簡単に案内し保持することができる。こうして、ビス等でガラス枠に固定する必要がなくなり、ガラスの設置や交換が容易に行える。


【手続補正３】
【補正対象書類名】明細書
【補正対象項目名】００３２
【補正方法】変更
【補正の内容】
【００３２】
こうして図６や図２３に示すよう形状をなすガラス支持枠２２２ａ，２２２ｂ，２２２ｃは、ガラス枠２００と同様に樹脂化することができる。この場合には、ガラス支持枠２２２ａ，２２２ｂ，２２２ｃをガラス枠２００と一体に成形することができる。こうして、ガラス支持枠２２２ａ，２２２ｂ，２２２ｃによってガラス枠２００の剛性を強化することができる。また、樹脂化したガラス支持枠２２２ａ，２２２ｂ，２２２ｃには弾性力が生ずるので、金属製の場合に比べてガラスを破損から保護することができる。従来のパチンコ機と比べると、新たに必要になるのは簡単な構造をなすストッパー部材２２６と取付片２２８のみである。そのため、ガラス板２５０を保持するにあたって製造コストを低く抑えることができる。
そして、図７や図２３に示すようにガラス枠２００全体を補強する補強板２２０は、その一部を立ち上がらせた（すなわち折り曲げた）レール補強部２２０ｃを外周側から当てることでガラス支持枠２２２ａ，２２２ｂ，２２２ｃ（すなわちレール）を補強している。そのため、ガラス支持枠２２２ａ，２２２ｂ，２２２ｃは所定の剛性を得ることができる。
【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
ベース枠に装備された遊技盤の遊技盤面を透視し得る開口部を備えたガラス枠が、該ベース枠の幅方向ほぼ一杯に該ベース枠に開閉可能に装着されているパチンコ機であって、
前記ガラス枠には、前記ベース枠から開放される側の外周下端部に切り欠き部が設けられており、
前記ガラス枠を前記ベース枠に閉じた際の、前記切り欠き部に対応するベース枠の部分において、該ガラス枠の施錠および／または解錠操作を行なうための鍵穴が配置されていることを特徴とするパチンコ機。
【手続補正２】
【補正対象書類名】明細書
【補正対象項目名】０００９
【補正方法】変更
【補正の内容】
【０００９】
【課題を解決するための手段】
上記目的を達成するために、本発明においては、ベース枠に装備された遊技盤の遊技盤面を透視し得る開口部を備えたガラス枠が、当該ベース枠の幅方向ほぼ一杯に当該ベース枠に開閉可能に装着されているパチンコ機であって、前記ガラス枠には、前記ベース枠から開放される側の外周下端部に切り欠き部が設けられており、前記ガラス枠を当該ベース枠に閉じた際の、前記切り欠き部に対応するベース枠の部分において、当該ガラス枠の施錠および／または解錠操作を行なうための鍵穴が配置されていることを特徴とするパチンコ機を提供する。
【手続補正３】
【補正対象書類名】明細書
【補正対象項目名】００１２
【補正方法】変更
【補正の内容】
【００１２】
本発明においては、上記ガラス枠をベース枠に閉じた際に当該ガラス枠を施錠／解錠するための施錠装置に連通する上記鍵穴が、切り欠き部に対応するベース枠に配置されている。このため、パチンコ機の下方に装備されている遊技球発射用ハンドルの位置と上記鍵穴との間に十分な距離を確保することができる。
従って、遊技者が上記ハンドルを握ったままであっても当該遊技者の手によって上記鍵穴における施錠および／または解錠操作が妨げられることがなく、遊技の最中であっても当該ベース枠に装着されたガラス枠の施錠および／または解錠操作をスムーズに行うことができる。


【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、上記ベース枠における上記鍵穴の配置箇所を当該ガラス枠の下端部よりも上方に確保する手段として、当該ガラス枠の開放側の外周部の一部に切り欠き部を設けている。このため、上記鍵穴にシリンダ錠等の鍵を挿入したままであっても、ガラス枠をベース枠から開放させる際に、当該ガラス枠と当該挿入されたままの鍵の柄の部分とは接触することがない。すなわち、ガラス枠のベース枠からの開放動作が当該挿入されたままの鍵の柄の部分によって妨害されることはない。
従って、遊技者が上記ハンドルを手で握ったままであっても当該遊技者の手によって上記鍵穴における施錠および／または解錠操作が妨げられず、さらには当該鍵穴に鍵を差し込んだままでも当該ガラス枠の開閉操作をスムーズに行なうことが可能となる。


【手続補正６】
【補正対象書類名】明細書
【補正対象項目名】００８５
【補正方法】変更
【補正の内容】
【００８５】
すなわち、上記ハンドルの位置と上記鍵穴との間に十分な距離を確保することができる。このため、遊技者が上記ハンドルを握ったままであっても当該遊技者の手に妨げられることなく、上記鍵穴における施錠および／または解錠操作をスムーズに行なうことができる。


【手続補正７】
【補正対象書類名】明細書
【補正対象項目名】００８６
【補正方法】変更
【補正の内容】
【００８６】
さらに、上記鍵穴にシリンダ錠等の鍵を挿入したままであっても、ガラス枠をベース枠から開放させる際に、当該ガラス枠と当該挿入されたままの鍵の柄の部分とは接触することがない。このため、上述した効果に加え、さらに当該鍵穴に鍵を差し込んだままでも当該ガラス枠の開閉操作をスムーズに行なうことができる。
【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
発光体をそれぞれに備えている複数の基板と、その発光体の点灯ないしは点滅を制御する制御信号を出力する制御装置と、その制御装置と複数の基板との間をそれぞれ電気的に接続する接続ケーブルとを有するパチンコ機であって、
前記複数の基板はガラス枠の開口部の周縁に沿って装着し、
前記複数の基板にかかる各基板は、当該基板に備えられている発光体に制御信号を伝達する伝達部と、他の基板の発光体に制御信号を伝達する中継部とを備えており、
前記接続ケーブルは、前記制御装置と一の基板とを接続する第１接続ケーブルと、基板相互間を接続する第２接続ケーブルとからなり、
前記枠部材の表面側に装着した基板からは、配線用スリットを通して接続ケーブルを前記枠部材の裏面側に引き出して他の基板と接続することを特徴とするパチンコ機。
【請求項２】
発光体をそれぞれに備えているｎ（ｎは２以上の自然数）枚の基板と、その発光体の点灯ないしは点滅を制御する制御信号を出力する制御装置と、その制御装置とｎ枚の基板との間をそれぞれ電気的に接続する接続ケーブルとを有するパチンコ機であって、
前記制御装置とｍ（ｍは自然数であって、ｎ≧ｍ）枚の基板との間をそれぞれ一本の接続ケーブルによって直列的に接続し、
前記ｍ枚の基板はガラス枠の開口部の周縁に沿って装着し、
前記制御装置と第１基板との間の接続ケーブルは前記ｍ枚の基板に制御信号を伝達するために必要な線数からなり、第１基板と第２基板との間は前記ｍ枚の基板から第１基板を除く基板に制御信号を伝達するために必要な線数からなり、…、第（ｍ−１）基板と第ｍ基板との間の接続ケーブルは第ｍ基板に制御信号を伝達するために必要な線数からなり、
前記枠部材の表面側に装着した基板からは、配線用スリットを通して接続ケーブルを前記枠部材の裏面側に引き出して他の基板と接続することを特徴とするパチンコ機。
【手続補正２】
【補正対象書類名】明細書
【補正対象項目名】０００４
【補正方法】変更
【補正の内容】
【０００４】
【課題を解決するための第１の手段】
請求項１に記載の発明は、発光体をそれぞれに備えている複数の基板と、その発光体の点灯ないしは点滅を制御する制御信号を出力する制御装置と、その制御装置と複数の基板との間をそれぞれ電気的に接続する接続ケーブルとを有するパチンコ機であって、前記複数の基板はガラス枠の開口部の周縁に沿って装着し、前記複数の基板にかかる各基板は、当該基板に備えられている発光体に制御信号を伝達する伝達部と、他の基板の発光体に制御信号を伝達する中継部とを備えており、前記接続ケーブルは、前記制御装置と一の基板とを接続する第１接続ケーブルと、基板相互間を接続する第２接続ケーブルとからなり、前記枠部材の表面側に装着した基板からは、配線用スリットを通して接続ケーブルを前記枠部材の裏面側に引き出して他の基板と接続することを特徴とする。


【手続補正３】
【補正対象書類名】明細書
【補正対象項目名】０００５
【補正方法】変更
【補正の内容】
【０００５】
請求項１に記載の発明によれば、制御装置と一の基板との間は第１接続ケーブルによって、基板相互間は第２接続ケーブルによってそれぞれ電気的に接続される。しかも枠部材の表面側に装着した基板からは、配線用スリットを通して接続ケーブルを枠部材の裏面側に引き出して他の基板と接続する。すなわち、制御装置と一の基板との間、あるいは基板相互間のみを接続ケーブルで接続すればよく、配線が簡単になる。そのため、接続ケーブルの長さが短くなって配線が簡単になり、パチンコ機の組立を短時間で行うことができる。


【手続補正４】
【補正対象書類名】明細書
【補正対象項目名】０００６
【補正方法】変更
【補正の内容】
【０００６】
【課題を解決するための第２の手段】
請求項２に記載の発明は、発光体をそれぞれに備えているｎ（ｎは２以上の自然数）枚の基板と、その発光体の点灯ないしは点滅を制御する制御信号を出力する制御装置と、その制御装置とｎ枚の基板との間をそれぞれ電気的に接続する信号線とを有するパチンコ機であって、前記制御装置とｍ（ｍは自然数であって、ｎ≧ｍ）枚の基板との間をそれぞれ一本の接続ケーブルによって直列的に接続し、前記ｍ枚の基板はガラス枠の開口部の周縁に沿って装着し、前記制御装置と第１基板との間の接続ケーブルは前記ｍ枚の基板に制御信号を伝達するために必要な線数からなり、第１基板と第２基板との間は前記ｍ枚の基板から第１基板を除く基板に制御信号を伝達するために必要な線数からなり、…、第（ｍ−１）基板と第ｍ基板との間の接続ケーブルは第ｍ基板に制御信号を伝達するために必要な線数からなり、前記枠部材の表面側に装着した基板からは、配線用スリットを通して接続ケーブルを前記枠部材の裏面側に引き出して他の基板と接続することを特徴とする。


【手続補正５】
【補正対象書類名】明細書
【補正対象項目名】０００７
【補正方法】変更
【補正の内容】
【０００７】
請求項２に記載の発明によれば、制御装置とｍ枚の基板との間はそれぞれ一本の接続ケーブルによって直列的に接続されており、その接続ケーブルは制御装置から遠ざかるほどその先に接続されている基板に応じた線数になっている。枠部材の表面側に装着した基板からは、配線用スリットを通して接続ケーブルを枠部材の裏面側に引き出して他の基板と接続する。すなわち、一般的には制御装置から遠ざかるほど接続ケーブルの線数は少なくなるが、二枚以上の基板における発光体を一の制御信号で点灯ないしは点滅させる等のような場合には接続ケーブルの線数が変化しない場合もある。なお、（ｎ−ｍ）枚の基板は、直列的に接続されているｍ枚の基板のうちいずれかの基板から分岐して接続されている。こうして制御装置と第１基板との間の接続ケーブルについて、その接続を解除すればｎ枚全ての基板を制御装置から切り離すことができる。そのため、ガラス枠の取付や交換の際には、接続ケーブルの接続解除に要する時間を短縮することができる。
【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
遊技者からの指示を入力する指示入力手段と、その指示入力手段に入力された指示に応じてパチンコ機の動作を制御する動作制御手段とを備えているパチンコ機であって、
前記指示入力手段は、ガラス枠に形成された開口部の下端近傍のガラス枠に設けられたことを特徴とするパチンコ機。
【請求項２】
請求項１に記載のパチンコ機であって、
指示入力手段には、前記動作制御手段から出力される表示データに基づいて、文字や図柄等の情報を表示する表示器を備えていることを特徴とするパチンコ機。
【手続補正２】
【補正対象書類名】明細書
【補正対象項目名】０００４
【補正方法】変更
【補正の内容】
【０００４】
【課題を解決するための第１の手段】
請求項１に記載の発明は、遊技者からの指示を入力する指示入力手段と、その指示入力手段に入力された指示に応じてパチンコ機の動作を制御する動作制御手段とを備えているパチンコ機であって、前記指示入力手段は、ガラス枠に形成された開口部の下端近傍のガラス枠に設けられたことを特徴とする。
請求項１に記載の発明によれば、指示入力手段はガラス枠に形成された開口部の下端近傍（言い換えれば前板もしくは上皿の近傍；図１を参照）のガラス枠に設けられている。このガラス枠は遊技者から見て上皿等からさらに離れた位置にあるため、遊技者が上皿に手を掛ける等の動作によって、指示入力手段に触れる等の指示を行う可能性がきわめて低い。したがって、パチンコ機に対して行う指示が誤って行われるのを防止することができる。


【手続補正３】
【補正対象書類名】明細書
【補正対象項目名】０００５
【補正方法】変更
【補正の内容】
【０００５】
【課題を解決するための第２の手段】
請求項２に記載の発明は、請求項１に記載のパチンコ機であって、指示入力手段には、前記動作制御手段から出力される表示データに基づいて、文字や図柄等の情報を表示する表示器を備えていることを特徴とする。
請求項２に記載の発明によれば、指示入力手段に備えられている表示器には、制御手段から出力された文字や図柄等が表示される。この指示入力手段はガラス枠に設けられているので、遊技盤面との距離が短い。そのため、遊技者は目の移動を少なくして表示器に表示される情報を容易に認識することができる。
【手続補正書】
【提出日】平成15年8月11日(2003.8.11)
【手続補正１】
【補正対象書類名】明細書
【補正対象項目名】請求項８
【補正方法】変更
【補正の内容】
【請求項８】
請求項５又は６記載の栽培土壌において、前記腐植土壌層は、赤土細礫土と腐葉土とを混合したものからなることを特徴とする栽培土壌。
【手続補正２】
【補正対象書類名】明細書
【補正対象項目名】請求項１２
【補正方法】変更
【補正の内容】
【請求項１２】
請求項５から１１いずれか記載の栽培土壌において、前記透水性の濾過床は、樹脂素材からなる網目状のシートであることを特徴とする栽培土壌。
【手続補正書】
【提出日】平成15年8月25日(2003.8.25)
【手続補正１】
【補正対象書類名】明細書
【補正対象項目名】０００９
【補正方法】変更
【補正の内容】
【０００９】
【発明の実施の形態】
次に添付図面に従って、この発明の一例の実施形態を説明する。図１は、この発明の抜き型支持体に抜き型を装着した場合の平面図であり、２本の縦枠１，１がそれぞれの端部において横枠２，２によって連結され、方形の枠体を形成している。この枠体の内部には、中桟３が配置され、横枠の適所において内側に向けて設置されているラック歯列４，４と、中桟３の両端部に取り付けられた２個のラック作動部５，５上に外方に向けて設置されているラック歯列６，６との噛合により位置合わせされている。
【手続補正書】
【提出日】平成15年9月4日(2003.9.4)
【手続補正１】
【補正対象書類名】明細書
【補正対象項目名】特許請求の範囲
【補正方法】変更
【補正の内容】
【特許請求の範囲】
【請求項１】
体内脂肪量計の載台に配設された裸足で測定するための生体インピーダンス測定用電極板の上又は近接する場所に、被検者の足裏又は足指に接触するように体温測定用センサーを配設したことを特徴とする体温測定機能付き体内脂肪量計。
【請求項２】
前記体温測定用センサーが、被験者が足指間に挟み込める位置に配設されていることを特徴とする請求項１記載の体温測定機能付き体内脂肪量計。
【請求項３】
前記体温測定用センサーが、前記生体インピーダンス測定用電極とは絶縁物で絶縁された導電性物質で構成されていることを特徴とする請求項１又は２記載の体温測定機能付き体内脂肪量計。
【手続補正２】
【補正対象書類名】明細書
【補正対象項目名】０００７
【補正方法】変更
【補正の内容】
【０００７】
【実施例】以下、本発明の一実施例を図面に基づいて説明する。
図１は本発明の体温測定機能付き体内脂肪量計の実施例の斜視図である。体内脂肪量計の載台（６）は樹脂製で上面には、体重・体内脂肪量・体温等の表示部（４）と、被検者の体型・性別・年齢・身長等の設定ツマミ（２）とが配設され、両足間のインピーダンスを測定するための電流供給電極板（３），（３）が両足の中足骨部分が互いに接触しない位置に、電圧検知電極板（５），（５）が両足の踵が互いに接触しない位置で電流供給電極板とは距離を置いた位置に、それぞれ配設されている。
【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
ヘリコバクター・ピロリが含まれる部分に可視光線を照射することからなる、ヘリコバクター・ピロリの殺菌方法。
【請求項２】
未照射部分を害することなく、前記部分に前記可視光線が照射される、請求項１に記載の方法。
【請求項３】
前記可視光線の波長が３６０〜６００ナノメートルである、請求項１に記載の方法。
【請求項４】
前記部分が、食物、食器、および医療用具からなる群から選択される少なくとも一種である、請求項３に記載の方法。
【請求項５】
前記可視光線を光源から出す工程をさらに含んでなる、請求項１〜４のいずれか一項に記載の方法。
【請求項６】
前記可視光線が、前記光源からファイバーを通してヘリコバクター・ピロリに照射される、請求項５に記載の方法。
【請求項７】
ヘリコバクター・ピロリに近づけることができる先端を有してなる内視鏡を用意し、
該内視鏡に設けられるファイバーに光を通すようにされてなる光源により可視光線を出させ、
前記ファイバーおよび前記内視鏡先端を通してヘリコバクター・ピロリに可視光線を照射する工程
をさらに含んでなる、請求項１〜６のいずれか一項に記載の方法。
【請求項８】
前記可視光線が５００ルクスの光強度を有し、該可視光線の照射が３時間行われる、請求項１〜７のいずれか一項に記載の方法。
【請求項９】
前記可視光線が、赤および橙色以外の可視光線である、請求項８に記載の方法。
【請求項１０】
前記可視光線が４０，０００〜５０，０００ルクスの光強度を有する、赤および橙色以外の可視光線であり、該可視光線の照射が２〜３分間行われる、請求項１〜７のいずれか一項に記載の方法。
【請求項１１】
前記可視光線が８，０００ルクスの光強度を有する、赤および橙色以外の可視光線であり、該可視光線の照射が３０分間行われる、請求項１〜７のいずれか一項に記載の方法。
【請求項１２】
前記可視光線が４，０００ルクスの光強度を有する、赤および橙色以外の可視光線であり、該可視光線の照射が１時間行われる、請求項１〜７のいずれか一項に記載の方法。
【請求項１３】
ヘリコバクター・ピロリの殺菌装置であって、
観察用光源と、
殺菌用光源と、
前記観察用光源からの光を通すように設けられる第一のファイバー、および前記殺菌用光源からの光を通すように設けられる第二のファイバーを含む内視鏡であって、該内視鏡が先端を有し、前記第一のファイバーがヘリコバクター・ピロリを含む部分の観察のために前記観察用光源からの光を前記内視鏡の先端に通じるようにされてなるとともに、前記第二のファイバーがヘリコバクター・ピロリへの可視光線の照射のために前記殺菌用光源からの可視光線を前記内視鏡の先端に通じるようにされてなる、内視鏡と
を備えてなる、装置。
【請求項１４】
前記可視光線の波長が３６０〜６００ナノメートルである、請求項１３に記載の装置。
【請求項１５】
前記可視光線が５００ルクスの光強度を有し、該可視光線の照射が３時間行われる、請求項１３に記載の装置。
【請求項１６】
前記可視光線が５００ルクスの光強度を有する、赤および橙色以外の可視光線であり、該可視光線の照射が３時間行われる、請求項１３に記載の装置。
【請求項１７】
前記可視光線が４０，０００〜５０，０００ルクスの光強度を有する、赤および橙色以外の可視光線であり、該可視光線の照射が２〜３分間行われる、請求項１３に記載の装置。
【請求項１８】
前記可視光線が８，０００ルクスの光強度を有する、赤および橙色以外の可視光線であり、該可視光線の照射が３０分間行われる、請求項１３に記載の装置。
【請求項１９】
前記可視光線が４，０００ルクスの光強度を有する、赤および橙色以外の可視光線であり、該可視光線の照射が１時間行われる、請求項１３に記載の装置。
【請求項２０】
前記第一のファイバーがグラスファイバーを含んでなる、請求項１３〜１９のいずれか一項に記載の装置。
【請求項２１】
前記第二のファイバーが照射光源ファイバーを含んでなる、請求項１３〜２０のいずれか一項に記載の装置。
【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
表面に凹凸を有する建築板２をコンベアー１により搬送しつつ該建築板の表面に塗装による模様を形成するに際し、形成すべき模様パターンデータをプログラマブルコントローラー７に入力しておき、コンベアー１上を搬送中の建築板２の位置をセンサー５により検出してその信号を信号検出コントローラー６に転送し、この信号検出コントローラー６の出力信号によりプログラマブルコントローラー７を介してディスペンサーバルブ開閉コントローラー８を作動させ、コンベアー１上の幅方向及び進行方向に所定のピッチにて多数配置した各ディスペンサー３から吐出する塗料の吐出量をコントロールして建築板２の表面に所要の模様パターンにて塗料を付着させ、引き続きロールコーター９にて建築板２上の塗料を均すことを特徴とする建築板の塗装方法。
【手続補正２】
【補正対象書類名】明細書
【補正対象項目名】０００７
【補正方法】変更
【補正の内容】
【０００７】
すなわち、本発明は、表面に凹凸を有する建築板２をコンベアー１により搬送しつつ該建築板の表面に塗装による模様を形成するに際し、形成すべき模様パターンデータをプログラマブルコントローラー７に入力しておき、コンベアー１上を搬送中の建築板２の位置をセンサー５により検出してその信号を信号検出コントローラー６に転送し、この信号検出コントローラー６の出力信号によりプログラマブルコントローラー７を介してディスペンサーバルブ開閉コントローラー８を作動させ、コンベアー１上の幅方向及び進行方向に所定のピッチにて多数配置した各ディスペンサー３から吐出する塗料の吐出量をコントロールして建築板２の表面に所要の模様パターンにて塗料を付着させ、引き続きロールコーター９にて建築板２上の塗料を均すことを特徴とする建築板の塗装方法である。


【手続補正３】
【補正対象書類名】明細書
【補正対象項目名】００１８
【補正方法】変更
【補正の内容】
【００１８】
ディスペンサー３は、図３に示すように、電磁バルブ１６の下方の吐出口にニードル１５を備え、上方の注入口に前記塗料タンク４に連通しているチューブ１７の先端が接続されているので、前記電磁バルブ１６の開閉をコントロールすることにより、燃料タンク４内の塗料をチューブ１７を介してディスペンサー３のニードル１５から点滴、多点吐出、直線塗布などの各種吐出パターンにて吐出できるものである。


【手続補正４】
【補正対象書類名】明細書
【補正対象項目名】００２０
【補正方法】変更
【補正の内容】
【００２０】
本発明においては、幅４５５mm, 長さ３０３０mmで、長手方向に幅１０mm、深さ４mmの５本の深い溝を備え、表面に深さ約１mmの凹凸によるマダラ模様が形成されている繊維混入ケイ酸カルシウム板からなる建築板２の表面に塗装による模様を形成するため、ディスペンサー３を、図１に示すように、幅方向に３０mm間隔にて３０個配置すると共に、進行方向には、図２に示すように、ピッチ５０mmにて３列配置した。


【手続補正５】
【補正対象書類名】明細書
【補正対象項目名】００２２
【補正方法】変更
【補正の内容】
【００２２】
建築板２がセンサー５の横を通過し、ディスペンサー３の下に位置した際、プログラマブルコントローラー７に予め入力しておいた模様パターンデータＤに基き、ディスペンサーバルブ開閉コントローラー８の信号により各ディスペンサー３の電磁バルブ１６の開閉度合いをコントロールして、ニ−ドル１５の先端から市販のウレタン系濃灰色塗料（粘度１００cp）を吐出させて建築板２表面に所要の模様パターンにて付着させた。
【手続補正書】
【提出日】平成16年1月14日(2004.1.14)
【手続補正１】
【補正対象書類名】明細書
【補正対象項目名】特許請求の範囲
【補正方法】変更
【補正の内容】
【特許請求の範囲】
【請求項１】
生体へ超音波を送受波し、得られた３次元領域のエコーデータを格納する３次元エコーデータ記憶手段と、
前記３次元エコーデータ記憶手段に記憶された該３次元エコーデータ内における所望の断面位置を設定する断面位置設定手段と、
前記３次元エコーデータ記憶手段に記憶された該３次元エコーデータ内における所望の物体表面位置を抽出する表面位置抽出手段と、
前記表面位置抽出手段により抽出された該表面位置が示す表面エコーデータに陰影を付加する陰影付加手段と、
前記断面位置設定手段により位置を設定された断面エコーデータと、前記陰影付加手段により陰影を付加された該表面エコーデータより３次元画像を合成する合成手段と、
前記合成手段により合成された該３次元画像を表示する表示手段と、
を設けた超音波画像診断装置において、
前記表面位置抽出手段は、
該３次元エコーデータ内において、スキャンライン開始点よりスキャンライン上を遠方にスキャンし、或るしきい値より輝度値の大きい点が所定の距離以上連続したランのうち該スキャンライン開始点に最も近いランを抽出するラン抽出手段を有する
ことを特徴とする超音波画像診断装置。
【請求項２】
前記表面位置抽出手段は、該所定の距離を設定するラン長設定手段をさらに有し、
前記ラン抽出手段は、前記ラン長設定手段で設定された距離以上連続したランのうち該スキャンライン開始点に最も近いランを抽出することを特徴とする請求項１に記載の超音波画像診断装置。
【請求項３】
生体へ超音波を送受波し、得られた３次元領域のエコーデータを格納する３次元エコーデータ記憶手段と、
前記３次元エコーデータ記憶手段に記憶された該３次元エコーデータ内における所望の物体表面位置を抽出する表面位置抽出手段と、
前記表面位置抽出手段により抽出された該表面位置が示す表面エコーデータより３次元画像を生成する３次元画像生成手段と、
前記３次元画像生成手段により生成された該３次元画像を表示する表示手段と、
を設けた超音波画像診断装置において、
前記表面位置抽出手段は、
該３次元エコーデータ内において、スキャンライン開始点よりスキャンライン上を遠方にスキャンし、或るしきい値より輝度値の大きい点が所定の距離以上連続したランのうち該スキャンライン開始点に最も近いランを抽出するラン抽出手段と、
該所定の距離を設定するラン長設定手段と、
を有し、
前記ラン抽出手段は、前記ラン長設定手段で設定された距離以上連続したランのうち該スキャンライン開始点に最も近いランを抽出することを特徴とする超音波画像診断装置。
【手続補正書】
【提出日】平成15年10月29日(2003.10.29)
【手続補正１】
【補正対象書類名】明細書
【補正対象項目名】特許請求の範囲
【補正方法】変更
【補正の内容】
【特許請求の範囲】
【請求項１】
可撓性の線材からなる結紮用ループと、
前記結紮用ループの線材を束ねた状態で圧入した円筒状のストッパと、
前記ストッパよりも基端側に形成され、牽引用のフックを着脱自在に装着できるフック装着用ループと、
前記ストッパの先端側への移動を規制する規制部材と
を備え、
前記ストッパを前記結紮用ループの先端側へ前記規制部材に突き当たるまで移動することにより、前記結紮用ループの大きさを小さくすることができる
ことを特徴とする医療用結紮具。
【請求項２】
可撓性の線材からなる結紮用ループと、
前記結紮用ループの線材を挿通したストッパと、
前記ストッパの前記結紮用ループ先端側への移動を規制する規制部材と、
を有することを特徴とする医療用結紮具。
【手続補正２】
【補正対象書類名】明細書
【補正対象項目名】０００６
【補正方法】変更
【補正の内容】
【０００６】
【課題を解決するための手段】
請求項１記載の医療用結紮具は、可撓性の線材からなる結紮用ループと、前記結紮用ループの可撓性の線材を束ねた状態で圧入した円筒状のストッパと、前記ストッパよりも基端側に形成され、牽引用のフックを着脱自在に装着できるフック装着用ループと、前記結紮用ループの先端と前記ストッパとの間に形成され、前記ストッパの先端側への移動を規制する規制部材とを備えて構成される。
請求項２記載の医療用結紮具は、可撓性の線材からなる結紮用ループと、前記結紮用ループの線材を挿通したストッパと、前記ストッパの前記結紮用ループ先端側への移動を規制する規制部材と、を有することを特徴とする。
【手続補正書】
【提出日】平成15年10月22日(2003.10.22)
【手続補正１】
【補正対象書類名】明細書
【補正対象項目名】００１３
【補正方法】変更
【補正の内容】
【００１３】
研摩素子２２は、ホルダ２４に着坐し矢印３１の方向にスライドするため床素子１２のボア１１を行き来するねじ込み形ボルト２８によって床素子１２上に設けられている。研摩素子２２に背を向けている床素子１２の面は、ボルト２８のボルトヘッド２９のための当接面を形成し、それによって、矢印３１で示される方向の研摩素子２２の運動を制限する。このようにして、研摩素子２２をその休止位置に引き止めることができる。床素子１２と研摩素子２２のホルダ２４との間には、一端で研摩素子２２の方を向いた床素子１２の面を圧し、及び他端で床素子１２の方を向いたホルダ２４の面を圧しているコイルばね３０の形のプレストレス装置が設けられている。このプレストレス装置は、矢印３１で示される方向に研摩素子２２を偏位させる。このようにして、研摩石２６は、研摩ヘッド１０の往復動作の間針布（図示せず）を均一に駆り立てることができ、そして、研摩操作の間矢印３１の方向に前進することができる。研摩素子の前進及びかくして針布の針先での材料の除去は、研摩素子が針布を往復動する数によって決定される。


【手続補正２】
【補正対象書類名】明細書
【補正対象項目名】００１４
【補正方法】変更
【補正の内容】
【００１４】
研摩操作が開始する前に、研摩素子２２は、第１レバー３４、第２レバー３６及び、第２レバー３６をねじ込みボルト２８と接続するリンク素子３３から成る作動用素子３２によって、コイルばね３０のプレストレス力に抗して針布から引き離すことができる。引き離しの最大範囲は、壁素子１６に担持されており第２レバー３６のスロット３７を通って延びるねじ込み形ボルト３８によって決められる。このねじ込み形ボルト３８は、また必要ならば床素子１２と一緒に休止位置に研摩素子２２を固定するための当接部材として用いることができる。
図４は、図１〜３の研摩装置をカード機のドラムのフレーム６０へ固定するための構成を示す。この構成は、ねじ７２によってフレーム６０へ取付けられたホルダ７０を有している。ホルダ７０には、案内台７６が取付けられているアングルブラケット７４が固定されている。支持素子５０に蝶ナット８０で固定されている支持滑動体７８は、案内台７６の中に受けられている。案内台７６には送り機構８２が設けられており、この送り機構８２と支持滑動体７８とは、支持素子５０を、そして従って、研摩素子２２をもドラムの針布８４の方向へ動かすことができる。


【手続補正３】
【補正対象書類名】明細書
【補正対象項目名】００１７
【補正方法】変更
【補正の内容】
【００１７】
図５に示す第２の実施例は、図１〜４のものと同様である。従って、図１〜４の部品に使用されるのと同じ参照数字が、図５の部品に対して使用されている。図５に示す本発明の実施例では、研摩素子２２は、第１の実施例とは異なって、ボール−リンクボルト２８ａにより研摩ヘッド１０の床素子１２上に設けられている。このため、ボール−リンクボルト２８ａは、床素子１２のボア１１を通って延び、一方、研摩素子２２に背を向けた床素子１２の面は、ボール−リンクボルトのヘッド２９ａのための当接面を形成し、そして従って、矢印３１で示す方向での研摩素子２２の前進を制限する。


【手続補正４】
【補正対象書類名】明細書
【補正対象項目名】００１８
【補正方法】変更
【補正の内容】
【００１８】
ボール−リンクボルトのヘッド２９ａの反対側端部には、ボール１２８がついており、このボールは、相補的に形成されたホルダ２４の凹部１２４中に受けられている。プレストレス装置は、本実施例でも、一端で研摩素子２２の方を向いた床素子１２の面に、そして他端で床素子１２の方を向いたホルダ２４の面に支えられたコイルばね３０を使用している。ボール１２８及び相補的な凹部１２４による取付けの結果として、研摩素子２２は、両頭矢印１３１で示す回転運動をすることができる。この回転運動は、研摩ヘッド１０の往復路に長手方向に生じる針布の不規則性を相殺することができる。


【手続補正５】
【補正対象書類名】明細書
【補正対象項目名】００２１
【補正方法】変更
【補正の内容】
【００２１】
研摩素子２２２は、ドラムのシリンダ面に押圧されるように構成されている。送り滑動体２７８は、ドラムの両側にその両端面に隣接して配置されている。支持素子２１０は、送り滑動体２７８に取付けられているが、送り滑動体２７８に対して移動自在である。送り滑動体２７８の刻み付きヘッドねじ２７９の作動によって、支持素子２１０及び従ってまた研摩素子２２２は、両頭矢印２８０で示すようにドラムの針布の方へ及び離れた方へ動かされる。
支持素子２１０は、刻み付きヘッドねじ２７９の作動とは独立に研摩されている針布から離すことができるように、両頭矢印２８０で示す方向に送り滑動体２７８に対して移動自在である。このため、カットアウト２８２を有する引抜きブロック２８４が、ドラムの両側の支持素子２１０の床素子２１２に設けられている。この引抜きブロック２８４には、回転軸２５０に概ね垂直に延び且つスロット２１４の長手方向軸に概ね垂直な切込み２８２が形成されており、スロット２１４には、回転軸２５０と平行に延びる偏心軸２８８上に固定された偏心ディスク２８６が収容されている。レバー２９０が偏心軸２８８の一端に固定されている。偏心ディスクと偏心軸とが図６及び７の位置から矢印２９２の方向に回転されると、支持素子２１２と研摩素子２２２とが、ドラムの針布から矢印２９４で示す方向に上げられる。このようにして、全部の研摩素子２２２が、単に偏心軸２８８を回転させることにより、同時に上げられる。これは、本発明の第１実施例について説明した研摩操作と同様な研摩操作を可能にする。ここでは、研摩素子２２２がドラムの針布に接触するまで刻み付きヘッドねじ２７９の作動により最初に位置決めされ、次いで、レバー２９０による偏心軸２８８の回転によって、ドラムが作業速度に上げられ、そして支持素子または研摩ヘッドが所望の研摩深さに応じて針布の方へ約０．５−１ｍｍ進められ、それによって、駆動モータ２５４の操作及びレバー２９０の解放により最後に研摩駆動が開始されるまで研摩素子２２２が針布から上げられる。
【手続補正書】
【提出日】平成15年8月25日(2003.8.25)
【手続補正１】
【補正対象書類名】明細書
【補正対象項目名】００３８
【補正方法】変更
【補正の内容】
【００３８】
濃度が高くなると希釈ガスを多くなるよう充填し、濃度が下がると特定ガスを多くなるよう充填するように制御が行なわれる。そして、濃度と圧力が正しく充填できれば終了となるが、圧力が目標設定値よりも高くなった場合、該ガス分離部105を起動して被ガス充填容器のガスを循環させ、ガスを特定ガスと希釈ガスに分離し、被ガス回収容器内の濃度が高いのであれば分離した特定ガスは回収部107に回収し、希釈ガスを被ガス回収容器に戻し、濃度を下げる。
同じく濃度が低い場合は分離した希釈ガスを回収部106に回収し、特定ガスを戻して濃度を上げる。濃度に問題が無い場合は、余剰ガスとして両ガスを回収部に回収し、外気に漏出することはない。